(57)【要約】【課題】美観を良好にすることができる浴室を提供することを目的とする。【解決手段】洗面器カウンタと、水栓カウンタと、を備え、洗面器カウンタは、第１の上面および第１の下面を有する第１の支持材と、天板と、を有し、水栓カウンタは、第２の上面および第２の下面を有する第２の支持材と、水栓カウンタ本体と、を有し、前記第１の下面は、前記天板から前記壁面へ向かって下方へ傾斜した第２の傾斜面を有し、前記第２の下面は、前記水栓カウンタ本体から前記壁面へ向かって下方へ傾斜した第４の傾斜面を有し、前記第４の傾斜面は、前記第２の傾斜面よりも緩やかであることを特徴とする浴室が提供される。【選択図】図２
2019058802.tif 000002
【特許請求の範囲】
【請求項１】
洗面器が載置される洗面器カウンタと、
水栓が内蔵された水栓カウンタと、
を備え、
前記洗面器カウンタは、
壁面に取り付けられ第１の上面および第１の下面を有する第１の支持材と、
前記第１の支持材に下面を支持され前記壁面および浴槽から水平方向に離間して設けられた天板と、
を有し、
前記水栓カウンタは、
前記第１の支持材よりも高い位置に設けられて前記壁面に取り付けられ第２の上面および第２の下面を有する第２の支持材と、
前記水栓が内蔵された水栓カウンタ本体であって、前記天板よりも高い位置に設けられて前記第２の支持材に背面および下面の少なくともいずれかを支持され前記壁面および前記浴槽から水平方向に離間して設けられた水栓カウンタ本体と、
を有し、
前記第１の下面は、前記天板から前記壁面へ向かって下方へ傾斜した第２の傾斜面を有し、
前記第２の下面は、前記水栓カウンタ本体から前記壁面へ向かって下方へ傾斜した第４の傾斜面を有し、
前記第４の傾斜面は、前記第２の傾斜面よりも緩やかであることを特徴とする浴室。
【請求項２】
前記第２の下面が前記壁面に接続された部分は、前記水栓カウンタ本体の下面よりも下方に存在することを特徴とする請求項１記載の浴室。
【請求項３】
前記第１の支持材のうちで前記天板と前記壁面との間に存在する部分の横方向の長さは、前記天板の横方向の長さよりも短く、
前記第２の支持材のうちで前記水栓カウンタ本体と前記壁面との間に存在する部分の横方向の長さは、前記水栓カウンタ本体の横方向の長さよりも短いことを特徴とする請求項１または２に記載の浴室。
【発明の詳細な説明】
【技術分野】
【０００１】
本発明の態様は、一般的に、カウンタが取り付けられた浴室に関する。
【背景技術】
【０００２】
家庭の浴室において身体を洗う作業を楽にするために、洗面器カウンタが浴室の壁に取り付けられている。使用者は、洗面器カウンタを利用することにより洗面器を洗い場よりも上方に置くことができる。
【０００３】
ここで、トップ部材、ボディ部材、及びブラケットの３つの部材で構成されたカウンターがある（特許文献１）。特許文献１に記載されたカウンターでは、ブラケットは、壁面へ固定され、トップ部材を支持している。トップ部材は、トップ面よりも一段低く形成された溝形成部を後方側に有しており、溝形成部の上面が排水溝の底面となる（特許文献１、図５参照）。
【０００４】
しかし、特許文献１に記載されたカウンターでは、トップ部材と壁面とが成す角部において入隅が形成されてしまう。特許文献１のカウンターでは、排水溝の前後方向の幅が比較的狭いため、入隅を掃除することは困難であり、入隅にこびりついた水垢や石鹸カスを落とすことは容易ではない。そのため、入隅にこびりついた汚れによって、特許文献１に記載されたカウンターは、浴室の美観を損ねるおそれがある。
【０００５】
これに対して、カウンタが浴槽および壁面から離れて設けられたカウンタ付き浴室がある（特許文献２）。特許文献２に記載されたカウンタ付き浴室では、支柱がカウンタを長手方向に貫通しカウンタを支持している。しかし、特許文献２に記載されたカウンタ付き浴室であっても、支柱がカウンタを貫通しているため、カウンタの側端面と支柱とが成す角部において入隅が形成される。この入隅を掃除することは困難であり、入隅に付着した汚れを落とすことは容易ではない。そのため、特許文献２に記載されたカウンターにおいては、浴室の美観を損ねるおそれがあるという点において改善の余地がある。
【先行技術文献】
【特許文献】
【０００６】
【特許文献１】特開２０１１−６７３４０号公報
【特許文献２】特開２０１３−１７９９８７号公報
【発明の概要】
【発明が解決しようとする課題】
【０００７】
本発明は、かかる課題の認識に基づいてなされたものであり、美観を良好にすることができる浴室を提供することを目的とする。
【課題を解決するための手段】
【０００８】
第１の発明は、洗面器が載置される洗面器カウンタと、水栓が内蔵された水栓カウンタと、を備え、前記洗面器カウンタは、壁面に取り付けられ第１の上面および第１の下面を有する第１の支持材と、前記第１の支持材に下面を支持され前記壁面および浴槽から水平方向に離間して設けられた天板と、を有し、前記水栓カウンタは、前記第１の支持材よりも高い位置に設けられて前記壁面に取り付けられ第２の上面および第２の下面を有する第２の支持材と、前記水栓が内蔵された水栓カウンタ本体であって、前記天板よりも高い位置に設けられて前記第２の支持材に背面および下面の少なくともいずれかを支持され前記壁面および前記浴槽から水平方向に離間して設けられた水栓カウンタ本体と、を有し、前記第１の下面は、前記天板から前記壁面へ向かって下方へ傾斜した第２の傾斜面を有し、前記第２の下面は、前記水栓カウンタ本体から前記壁面へ向かって下方へ傾斜した第４の傾斜面を有し、前記第４の傾斜面は、前記第２の傾斜面よりも緩やかであることを特徴とする浴室である。
【０００９】
この発明によれば、第２の支持材が第１の支持材よりも上方に設けられ、また、第２の下面が有する傾斜面の傾斜は、第１の下面が有する傾斜面の傾斜よりも緩やかである。そのため、第１の支持材および第２の支持材の両方を使用者の目線から視認できないようにすることができる。これにより、洗面器カウンタおよび水栓カウンタの両方が浮いているように使用者に認識させることができるため、浴室の美観をより向上させることができる。
【００１０】
第２の発明は、第１の発明において、前記第２の下面が前記壁面に接続された部分は、前記水栓カウンタ本体の下面よりも下方に存在することを特徴とする浴室である。
【００１１】
この浴室によれば、第２の下面が壁面に接続された部分は、水栓カウンタ本体の下面よりも下方に存在する。そのため、例えば清掃者は、第２の下面と壁面との間の入隅を清掃する際には、水栓カウンタ本体の下方の奥側（壁面の側）にもぐり込まなくとも、第２の下面と壁面との間の入隅を視認することができる。これにより、清掃作業時の負担を軽減することができる。
【００１２】
第３の発明は、第１または２の発明において、前記第１の支持材のうちで前記天板と前記壁面との間に存在する部分の横方向の長さは、前記天板の横方向の長さよりも短く、
前記第２の支持材のうちで前記水栓カウンタ本体と前記壁面との間に存在する部分の横方向の長さは、前記水栓カウンタ本体の横方向の長さよりも短いことを特徴とする浴室である。
【００１３】
この浴室によれば、水がかかりやすい第１の支持材および第２の支持材の上面に水が溜まる面積を小さく抑えることができるため、第１の支持材および第２の支持材の上面において、汚れが発生する面積を抑えることができる。そのため、第１の支持材および第２の支持材を清掃する手間を低減することができる。
【発明の効果】
【００１４】
本発明の態様によれば、美観を良好にすることができる浴室が提供される。
【図面の簡単な説明】
【００１５】
【図１】本実施形態にかかる浴室を表す模式的斜視図である。
【図２】本実施形態にかかる浴室を表す模式的平面図である。
【図３】本実施形態にかかる浴室を表す模式的平面図である。
【図４】本実施形態の水栓カウンタを表す模式的平面図である。
【図５】本実施形態にかかる浴室を表す模式的平面図である。
【図６】本実施形態の洗面器カウンタを表す模式的平面図である。
【図７】本実施形態の洗面器カウンタを表す模式的平面図である。
【図８】本発明者が実施した検討を説明する模式的平面図である。
【発明を実施するための形態】
【００１６】
以下、本発明の実施の形態について図面を参照しつつ説明する。なお、各図面中、同様の構成要素には同一の符号を付して詳細な説明は適宜省略する。  
図１は、本実施形態にかかる浴室を表す模式的斜視図である。  
図２は、本実施形態にかかる浴室を表す模式的平面図である。  
図２は、図１に表した矢印Ａ１の方向にみたときの浴室を表す模式的平面図である。図２では、説明の便宜上、浴槽および鏡を省略している。
【００１７】
本実施形態にかかる浴室１０は、浴槽２００と、洗面器カウンタ３００と、水栓カウンタ４００と、を備える。浴室１０は、鏡５００を備えていてもよい。  
洗面器カウンタ３００および水栓カウンタ４００は、浴室１０の洗い場１００の第１の壁面１１０に取り付けられている。第１の壁面１１０は、浴槽２００と、浴槽２００と対向する第２の壁面１２０と、の間に設けられ、浴槽２００および第２の壁面１２０と接続されている。水栓カウンタ４００は、洗面器カウンタ３００よりも高い位置に設けられている。
【００１８】
図２に表したように、洗面器カウンタ３００は、第１の天板３１０と、第１の支持材３２０と、を有する。  
第１の支持材３２０は、第１の壁面１１０に取り付けられている。より具体的には、第１の支持材３２０の一端は、第１の壁面１１０に固定されている。第１の支持材３２０の他端は、第１の天板３１０の下面３１７に固定され、第１の天板３１０の下面３１７を支持している。第１の支持材３２０の他端は、下面３１７および第１の側端面３１１（背面）に固定され、下面３１７および第１の側端面３１１を支持していてもよい。
【００１９】
図１および図２に表したように、第１の天板３１０は、浴槽２００、第１の壁面１１０および第２の壁面１２０から離間している。この詳細については、後述する。第１の天板３１０の上面３１６は、略平坦である。例えば、使用者は、洗面器やシャンプーのボトル等を第１の天板３１０の上面３１６に載せることができる。第１の天板３１０の上面３１６には、排水のための傾斜が設けられていてもよい。この場合、経年によって傾斜方向が変わらないよう、第１の天板３１０の上面３１６を前方側に下降傾斜させておくことが好ましい。
【００２０】
本願明細書において、「前方」とは、洗面器カウンタ３００および水栓カウンタ４００が第１の壁面１１０に取り付けられた状態において、第１の壁面１１０に垂直な方向であって第１の壁面１１０からみて洗面器カウンタ３００および水栓カウンタ４００の側の方向をいう。本願明細書において、「後方」とは、「前方」とは反対の方向をいう。本願明細書において、「下方」とは、洗面器カウンタ３００および水栓カウンタ４００が第１の壁面１１０に取り付けられた状態において、鉛直方向であって水栓カウンタ４００からみて洗面器カウンタ３００の側の方向をいう。本願明細書において、「上方」とは、「下方」とは反対の方向をいう。
【００２１】
水栓カウンタ４００は、水栓カウンタ本体４１０と、第２の支持材４２０と、を有する。水栓カウンタ本体４１０は、第２の天板４１０ａと、水栓内蔵部（図示せず）と、を有する。水栓内蔵部は、第２の天板４１０ａの下に設けられている。さらに、水栓カウンタ本体４１０は、水栓内蔵部が露出しないよう、水栓内蔵部の周囲を覆うカバー４１５を有する。
【００２２】
図２に表したように、第２の支持材４２０は、第１の支持材３２０よりも高い位置（上方）に設けられ、第１の壁面１１０に取り付けられている。より具体的には、第２の支持材４２０の一端は、第１の壁面１１０に固定されている。第２の支持材４２０の他端は、水栓カウンタ本体４１０の第１の側端面４１１（背面）に固定され、水栓カウンタ本体４１０の第１の側端面４１１を支持している。第２の支持材４２０は、下面４０３および水栓カウンタ本体４１０の第１の側端面４１１に固定され、下面４０３および第１の側端面４１１を支持していてもよい。第２の支持材４２０は、下面４０３および第１の側端面４１１の少なくともいずれかを支持する。
【００２３】
図１および図２に表したように、水栓カウンタ本体４１０は、第１の天板３１０よりも高い位置に設けられ、浴槽２００、第１の壁面１１０および第２の壁面１２０から離間している。この詳細については、後述する。水栓カウンタ本体４１０の上面４１６は、略平坦である。水栓カウンタ本体４１０の上面４１６には、排水のための傾斜が設けられていてもよい。この場合、経年によって傾斜方向が変わらないよう、水栓カウンタ本体４１０の上面４１６を前方側に下降傾斜させておくことが好ましい。なお、水栓カウンタ本体４１０の上面４１６は、天板４１０ａの上面と同じである。
【００２４】
水栓カウンタ４００は、水栓４４１を内蔵する。水栓カウンタ４００は、水栓４４１を通して供給された水を吐水口４０１から吐出する。例えば、水栓カウンタ４００は、第１の天板３１０の上に載置された洗面器に吐水口４０１から水を供給する。水栓カウンタ本体４１０の水栓内蔵部には、温度調整ユニット（図示せず）や流量調整ユニット（図示せず）などが設けられている。本願明細書において、「水」には、冷水のみならず、加温されたお湯が含まれる。
【００２５】
図２に表したように、第１の支持材３２０は、第１の上面３２２と、第１の下面３２４と、を有する。第１の上面３２２は、第１の天板３１０から第１の壁面１１０へ向かって下方へ傾斜した傾斜面３２２ａ（第１の傾斜面）を有する。第１の下面３２４は、第１の天板３１０から第１の壁面１１０へ向かって下方へ傾斜した傾斜面３２４ａ（第２の傾斜面）を有する。
【００２６】
図２に表したように、第２の支持材４２０は、第２の上面４２２と、第２の下面４２４と、を有する。第２の上面４２２は、水栓カウンタ本体４１０から第１の壁面１１０へ向かって下方へ傾斜した傾斜面４２２ａ（第３の傾斜面）を有する。第２の下面４２４は、水栓カウンタ本体４１０から第１の壁面１１０へ向かって下方へ傾斜した傾斜面４２４ａ（第４の傾斜面）を有する。
【００２７】
第２の上面４２２が有する傾斜面４２２ａの傾斜は、第１の上面３２２が有する傾斜面３２２ａの傾斜よりも緩やかである。すなわち、第２の上面４２２が有する傾斜面４２２ａと、水平面ＨＳと、の間の角度Ｂ２は、第１の上面３２２が有する傾斜面３２２ａと、水平面ＨＳと、の間の角度Ｂ１よりも小さい。
【００２８】
第２の下面４２４が有する傾斜面４２４ａの傾斜は、第１の下面３２４が有する傾斜面３２４ａの傾斜よりも緩やかである。すなわち、第２の下面４２４が有する傾斜面４２４ａと、水平面ＨＳと、の間の角度Ｂ４は、第１の下面３２４が有する傾斜面３２４ａと、水平面ＨＳと、の間の角度Ｂ３よりも小さい。
【００２９】
ここで、第１の支持材３２０と第１の壁面１１０との間には、入隅が形成されている。また、第２の支持材４２０と第１の壁面１１０との間には、入隅が形成されている。  
本願明細書において「入隅」とは、複数の面が互いに接続された箇所の内側の部分をいうものとする。あるいは、本願明細書において「入隅」とは、複数の面が互いに接続された箇所の凹んだ部分をいうものとする。  
入隅を掃除することは困難であり、入隅に付着した汚れを落とすことは容易ではない。そのため、浴室の美観が損なわれることがある。
【００３０】
これに対して、本実施形態によれば、第１の上面３２２が有する傾斜面３２２ａおよび第１の下面３２４が有する傾斜面３２４ａは、第１の天板３１０から第１の壁面１１０へ向かって下方へ傾斜している。そのため、第１の上面３２２が第１の壁面１１０に接続された部分３２２ｂは、第１の天板３１０の下面３１７よりも下方に存在する。そのため、第１の支持材３２０と第１の壁面１１０との間の入隅は、洗面器カウンタ３００を使用する使用者の目線では第１の天板３１０の死角に入る。そのため、水や汚れが第１の支持材３２０と第１の壁面１１０との間の入隅に溜まった場合でも、使用者は、その入隅に溜まった水や汚れを視認することができない。これにより、落としづらい汚れが使用者に曝されることを抑え、浴室１０の美観を良好にすることができる。
【００３１】
また、第２の上面４２２が有する傾斜面４２２ａおよび第２の下面４２４が有する傾斜面４２４ａは、水栓カウンタ本体４１０から第１の壁面１１０へ向かって下方へ傾斜している。そのため、第２の上面４２２が第１の壁面１１０に接続された部分４２２ｂは、第２の天板４１０ａの下面４１７よりも下方に存在する。そのため、第２の支持材４２０と第１の壁面１１０との間の入隅は、水栓カウンタ４００を使用する使用者の目線では水栓カウンタ本体４１０の死角に入る。そのため、水や汚れが第２の支持材４２０と第１の壁面１１０との間の入隅に溜まった場合でも、使用者は、その入隅に溜まった水や汚れを視認することができない。これにより、落としづらい汚れが使用者に曝されることを抑え、浴室１０の美観を良好にすることができる。
【００３２】
さらに、第２の支持材４２０が第１の支持材３２０よりも上方に設けられ、第２の上面４２２が有する傾斜面４２２ａの傾斜は、第１の上面３２２が有する傾斜面３２２ａの傾斜よりも緩やかである。また、第２の下面４２４が有する傾斜面４２４ａの傾斜は、第１の下面３２４が有する傾斜面３２４ａの傾斜よりも緩やかである。そのため、第１の支持材３２０および第２の支持材４２０の両方を使用者の目線から視認できないようにすることができる。これにより、洗面器カウンタ３００および水栓カウンタ４００の両方が浮いているように使用者に認識させることができるため、浴室１０の美観をより向上させることができる。
【００３３】
図３は、本実施形態にかかる浴室を表す模式的平面図である。  
図４は、本実施形態の水栓カウンタを表す模式的平面図である。  
図５は、本実施形態にかかる浴室を表す模式的平面図である。  
図６は、本実施形態の洗面器カウンタを表す模式的平面図である。  
図７は、本実施形態の洗面器カウンタを表す模式的平面図である。  
図３は、図１に表した矢印Ａ２の方向にみたときの浴室を表す模式的平面図である。図４は、図１に表した矢印Ａ２の方向にみたときの水栓カウンタを表す模式的平面図である。図５は、図１に表した矢印Ａ３の方向にみたときの浴室を表す模式的平面図である。図６は、図１に表した矢印Ａ３の方向にみたときの洗面器カウンタを表す模式的平面図である。図７は、図１に表した矢印Ａ４の方向にみたときの洗面器カウンタを表す模式的平面図である。
【００３４】
前述したように、第１の支持材３２０は、第１の壁面１１０に取り付けられている。図３および図７に表したように、第１の支持材３２０の一端は、例えばボルトなどの締結具３７２により第１の壁面１１０に固定されている。第１の支持材３２０の他端は、例えばネジなどの締結具３７１により第１の天板３１０の下面３１７に固定されている。
【００３５】
洗面器カウンタ３００の第１の天板３１０は、第１の側端面３１１と、第２の側端面３１２と、第３の側端面３１３と、第４の側端面３１４と、上面３１６と、下面３１７と、を有し、第１の支持材３２０により支持されている。第１の側端面３１１は、第１の壁面１１０と対向し、第１の壁面１１０から水平方向に離間している。第２の側端面３１２は、浴槽２００の側面２１０と対向し、浴槽２００から水平方向に離間している。第３の側端面３１３は、第２の壁面１２０と対向し、第２の壁面１２０から水平方向に離間している。第４の側端面３１４は、洗い場１００と面し、浴槽２００、第１の壁面１１０、および第２の壁面１２０から水平方向に離間している。つまり、第１の天板３１０の全ての側端面（第１の側端面３１１、第２の側端面３１２、第３の側端面３１３、および第４の側端面３１４）は、浴槽２００、第１の壁面１１０、および第２の壁面１２０から水平方向に離間している。
【００３６】
第１の側端面３１１と第１の壁面１１０との間には、隙間Ｓ１が存在する。第１の側端面３１１と、第１の壁面１１０と、の間の距離Ｄ１は、例えば約５０ミリメートル（ｍｍ）程度である。第２の側端面３１２と浴槽２００の側面２１０との間には、隙間Ｓ２が存在する。第２の側端面３１２と、浴槽２００の側面２１０と、の間の距離Ｄ２は、例えば約７０ｍｍ程度である。第３の側端面３１３と第２の壁面１２０との間には、隙間Ｓ３が存在する。第３の側端面３１３と、第２の壁面１２０と、の間の距離Ｄ３は、例えば約７０ｍｍ程度である。
【００３７】
第１の側端面３１１、第２の側端面３１２、および第３の側端面３１３の拭き掃除をするために、距離Ｄ１〜距離Ｄ３は、より適切な距離に適宜設定されている。具体的には、距離Ｄ１〜距離Ｄ３のそれぞれは、スポンジ等の清掃用具を挿入しやすくするため、例えば約３０ｍｍ以上であることがより好ましい。また、手の甲が拭き掃除の際に第１の壁面１１０、第２の壁面１２０、および浴槽２００に当たらないようにするためには、距離Ｄ１〜距離Ｄ３のそれぞれは、例えば約５０ｍｍ以上であることがより好ましい。第１の天板３１０が洗い場１００に比較的大きく張り出すことを抑えるため、距離Ｄ１は、３０ｍｍ以上、５０ｍｍ以下であることがより好ましい。
【００３８】
前述したように、第２の支持材４２０は、第１の壁面１１０に取り付けられている。図３および図４に表したように、第２の支持材４２０の第２の下面４２４が第１の壁面１１０に接続された部分４２４ｂは、水栓カウンタ本体４１０の下面４０３よりも下方に存在する。
【００３９】
水栓カウンタ４００の水栓カウンタ本体４１０は、第１の側端面４１１と、第２の側端面４１２と、第３の側端面４１３と、第４の側端面４１４と、上面４１６と、下面４０３と、を有し、第２の支持材４２０により支持されている。第１の側端面４１１は、第１の壁面１１０と対向し、第１の壁面１１０から水平方向に離間している。第２の側端面４１２は、浴槽２００の側面２１０と対向し、浴槽２００から水平方向に離間している。第３の側端面４１３は、第２の壁面１２０と対向し、第２の壁面１２０から水平方向に離間している。第４の側端面４１４は、洗い場１００と面し、浴槽２００、第１の壁面１１０、および第２の壁面１２０から水平方向に離間している。つまり、水栓カウンタ本体４１０の全ての側端面（第１の側端面４１１、第２の側端面４１２、第３の側端面４１３、および第４の側端面４１４）は、浴槽２００、第１の壁面１１０、および第２の壁面１２０から水平方向に離間している。
【００４０】
第１の側端面４１１と第１の壁面１１０との間には、隙間Ｓ１１が存在する。第１の側端面４１１と、第１の壁面１１０と、の間の距離Ｄ１１は、例えば約３０ｍｍ程度である。水栓カウンタ本体４１０の上面４１６には、小物などが置かれることがある。そのため、隙間Ｓ１１が広すぎると、水栓カウンタ４００の使い勝手に支障が生ずることがある。清掃性および載置性を考慮すると、距離Ｄ１１は、例えば約１０〜３０ｍｍ程度であることが好ましい。第２の側端面４１２と浴槽２００の側面２１０との間には、隙間Ｓ１２が存在する。第２の側端面４１２と、浴槽２００の側面２１０と、の間の距離Ｄ１２は、例えば約７５ｍｍ程度である。第３の側端面４１３と第２の壁面１２０との間には、隙間Ｓ１３が存在する。第３の側端面４１３と、第２の壁面１２０と、の間の距離Ｄ１３は、例えば約７５ｍｍ程度である。水栓カウンタ４００の下に存在する洗面器カウンタ３００と、水栓カウンタ４００と、のバランスを考慮すると、水栓カウンタ４００の幅（長さＤ１４（図３参照））が洗面器カウンタ３００の幅（長さＤ４（図３参照））よりも短い方が、長さＤ１４が長さＤ４よりも長い場合と比較して見栄えがよい。さらに、清掃性を考慮すると、距離Ｄ１２および距離Ｄ１３のそれぞれは、５０ｍｍ以上であることが好ましい。
【００４１】
図３に表したように、第１の支持材３２０の横方向の長さＤ５は、第１の天板３１０の横方向の長さＤ４よりも短い。  
図３および図４に表したように、第２の支持材４２０の横方向の長さＤ１５は、水栓カウンタ本体４１０の横方向の長さＤ１４より短い。  
本願明細書において「横方向」とは、水平方向であって壁面１１０に平行な方向をいう。
【００４２】
本実施形態によれば、第１の天板３１０の全ての側端面が浴槽２００、第１の壁面１１０、および第２の壁面１２０から水平方向に離間しているため、第１の天板３１０と浴槽２００との間、第１の天板３１０と第１の壁面１１０との間、および第１の天板３１０と第２の壁面１２０との間において入隅が形成されることを抑えることができる。
【００４３】
また、第１の支持材３２０の端部（他端）が第１の天板３１０の下面３１７を支持するため、第１の天板３１０の上面３１６と第１の支持材３２０との間、および第１の天板３１０の全ての側端面と第１の支持材３２０との間において入隅が形成されることを抑えることができる。
【００４４】
また、本実施形態によれば、水栓カウンタ本体４１０の全ての側端面が浴槽２００、第１の壁面１１０、および第２の壁面１２０から水平方向に離間しているため、水栓カウンタ本体４１０と浴槽２００との間、水栓カウンタ本体４１０と第１の壁面１１０との間、および水栓カウンタ本体４１０と第２の壁面１２０との間において入隅が形成されることを抑えることができる。
【００４５】
また、第２の支持材４２０の端部（他端）が水栓カウンタ本体４１０の下面４０３を支持する場合には、水栓カウンタ本体４１０の上面４１６と第２の支持材４２０との間、および水栓カウンタ本体４１０の全ての側端面と第２の支持材４２０との間において入隅が形成されることを抑えることができる。
【００４６】
これにより、水が入隅に溜まることを抑え、汚れが入隅に発生することを抑えることができる。また、入隅が形成されることを抑えることができるため、例えばシリコーンなどのシール材を入隅に塗布する必要がなく、浴室１０の美観をより向上させることができる。
【００４７】
さらに、本実施形態によれば、第２の支持材４２０の第２の下面４２４が第１の壁面１１０に接続された部分４２４ｂは、水栓カウンタ本体４１０の下面４０３よりも下方に存在する。そのため、例えば清掃者は、第２の支持材４２０の第２の下面４２４と第１の壁面１１０との間の入隅を清掃する際には、水栓カウンタ本体４１０の下方の奥側（第１の壁面１１０の側）にもぐり込まなくとも、第２の下面４２４と第１の壁面１１０との間の入隅を視認することができる。これにより、清掃作業時の負担を軽減することができる。
【００４８】
また、第１の支持材３２０の横方向の長さＤ５は、第１の天板３１０の横方向の長さＤ４よりも短い。第２の支持材４２０の横方向の長さＤ１５は、水栓カウンタ本体４１０の横方向の長さＤ１４より短い。これにより、水がかかりやすい第１の支持材３２０および第２の支持材４２０の上面に水が溜まる面積を小さく抑えることができるため、第１の支持材３２０の第１の上面３２２および第２の支持材４２０の第２の上面４２２において、汚れが発生する面積を抑えることができる。そのため、第１の支持材３２０および第２の支持材４２０を清掃する手間を低減することができる。
【００４９】
次に、本発明者が実施した検討について、図面を参照しつつ説明する。  
図８は、本発明者が実施した検討を説明する模式的平面図である。
【００５０】
本発明者は、第１の天板３１０の死角および水栓カウンタ本体４１０の死角について検討を行った。より具体的には、本発明者は、使用者５６０が第１の支持材３２０および第２の支持材４２０を視認できない角度および高さについて検討を行った。
【００５１】
まず、本発明者が得た知見によれば、一般的な風呂いすの高さは、主として２５０ｍｍ以上、３５０ｍｍ以下である。そのため、本検討では、風呂いす５５０の高さＤ２１の最大値を３５０ｍｍとし、風呂いす５５０の高さＤ２１の最小値を２５０ｍｍとした。
【００５２】
「日本人の人体寸法データブック２００４−２００６」（社団法人  人間生活工学研究センター）に記載された人体計測データによれば、２０歳以上８０歳以下の男性の座面から目線の高さ（「座位姿勢における水平な座面から外眼角点までの鉛直距離」）の９５パーセンタイル値は、８４８ｍｍである。また、２０歳以上８０歳以下の女性の座面から目線の高さの５パーセンタイル値は、６１７ｍｍである。そのため、本検討では、座面から目線の高さＤ２２の最大値を８４８ｍｍとし、座面から目線の高さＤ２２の最小値を６１７ｍｍとした。
【００５３】
これにより、洗い場１００から使用者５６０の目線の高さＤ２９の最大値は、１１９８ｍｍである。洗い場１００から使用者５６０の目線の高さＤ２９の最小値は、８６７ｍｍである。
【００５４】
前述した目線の高さＤ２９の範囲において、洗面器カウンタ３００および水栓カウンタ４００の前の風呂いす５５０に座った使用者５６０の目の位置と、第１の壁面１１０と、の間の距離Ｄ２３を６５０ｍｍとした。
【００５５】
第１の天板３１０の第１の側端面３１１と、第１の壁面１１０と、の間の距離Ｄ２４を４０ｍｍとした。  
水栓カウンタ本体４１０の第２の側端面４１１と、第２の壁面１１０と、の間の距離Ｄ２５を３０ｍｍとした。  
洗い場１００と、洗面器カウンタ３００の第１の天板３１０の上面３１６と、の間の距離Ｄ３１を３４５ｍｍとした。  
洗い場１００と、水栓カウンタ４００の水栓カウンタ本体４１０の上面４１６と、の間の距離Ｄ３２を７００ｍｍとした。
【００５６】
このような条件において、本発明者が実施した検討の結果は、次の通りである。すなわち、使用者５６０の目と第１の支持材３２０の下端とを結ぶ仮想直線と、水平面と、の間のなす角度（θ１）が５７．５８度以下であれば、男女問わず成人の使用者のうち、大部分の使用者が第１の支持材３２０の下端を視認できなくなる。図８における角度Ｂ１４は、上記角度（θ１）が５７．５８度の状態を表している。
【００５７】
使用者５６０の目と第１の支持材３２０の上端とを結ぶ仮想直線と、水平面と、の間のなす角度（θ２）が５４．５４度以上であれば、男女問わず成人の使用者のうち、大部分の使用者が第１の支持材３２０の上端を視認できなくなる。図８における角度Ｂ１３は、上記角度（θ２）が５４．５４度の状態を表している。
【００５８】
すなわち、第１の支持材３２０の上端が、図８における角度θ２が５４．５４度である場合に対応する仮想直線（破線Ｘ）よりも下方に位置し、第１の支持材３２０の下端が、図８における角度θ１が５７．５８度である場合に対応する仮想直線（破線Ｙ）よりも上方に位置するように第１の支持材３２０を設ければ、成人の使用者のうち、大部分の使用者が第１の支持材３２０を視認できなくなり、第１の天板３１０を浮いているように見せることができる。このとき、使用者５６０が第１の支持材３２０を視認できない高さであって、第１の壁面１１０の側の上端の高さＤ２６は、２８５ｍｍ以上、３０８ｍｍ以下である。
【００５９】
なお、図８の第１の支持材３２０においては、第１の支持材３２０の上面は、水平面に対し、１８．７度傾斜した斜面を有しており、第１の支持材３２０の下面は、３９.０度の斜面を有するように構成している。
【００６０】
使用者５６０の目と第２の支持材４２０の下端とを結ぶ仮想直線と、水平面と、の間のなす角度（θ３）が２２．５１度以下であれば、男女問わず成人の使用者のうち、大部分の使用者が第２の支持材４２０の下端を視認できなくなる。図８における角度Ｂ１２は、上記角度（θ３）が２２．５１度の状態を表している。
【００６１】
使用者５６０の目と第２の支持材４２０の上端とを結ぶ仮想直線と、水平面と、の間のなす角度（θ４）が３８．４２度以上であれば、男女問わず成人の使用者のうち、大部分の使用者が第２の支持材４２０の上端を視認できなくなる。図８における角度Ｂ１１は、上記角度（θ４）が３８．４２度の状態を表している。
【００６２】
すなわち、第２の支持材４２０の上端が、図８における角度θ４が３８．４２度である場合に対応する仮想直線（破線Ｍ）よりも下方に位置した場合には、成人の使用者のうち、大部分の使用者が第２の支持材４２０の上端を視認できなくなる。一方、第２の支持材４２０の下端が、図８における角度θ３が２２．５１度である場合に対応する仮想直線（破線Ｎ）よりも上方に位置するように第２の支持材４２０を設ければ、成人の使用者のうち、大部分の使用者が第２の支持材４２０の下端を視認できなくなる。このようにして、水栓カウンタ本体４１０を浮いているように見せることができる。このとき、使用者５６０が第２の支持材４２０を視認できない高さであって、第１の壁面１１０の側の上端の高さＤ２８は、６８２．５ｍｍ以上、７００ｍｍ以下である。
【００６３】
なお、図８の第２の支持材４２０においては、第２の支持材４２０の上面は、水平面に対し、２６．６度傾斜した斜面を有しており、第２の支持材４２０の下面は、３１．８度の斜面を有するように構成している。
【００６４】
以上、本発明の実施の形態について説明した。しかし、本発明はこれらの記述に限定されるものではない。前述の実施の形態に関して、当業者が適宜設計変更を加えたものも、本発明の特徴を備えている限り、本発明の範囲に包含される。例えば、洗面器カウンタ３００および水栓カウンタ４００などが備える各要素の形状、寸法、材質、配置などや第１の支持材３２０および第２の支持材４２０の設置形態などは、例示したものに限定されるわけではなく適宜変更することができる。例えば、水栓カウンタ本体４１０および第２の天板４１０ａは、直接的に第２の支持材４２０で支持されていてもよいし、補強材などを介して間接的に第２の支持材４２０で支持されていてもよい。  
また、前述した各実施の形態が備える各要素は、技術的に可能な限りにおいて組み合わせることができ、これらを組み合わせたものも本発明の特徴を含む限り本発明の範囲に包含される。
【符号の説明】
【００６５】
１０ 浴室、  １００ 洗い場、  １１０ 第１の壁面、  １２０ 第２の壁面、  ２００ 浴槽、  ２１０ 側面、  ３００ 洗面器カウンタ、  ３１０ 第１の天板、  ３１１ 第１の側端面、  ３１２ 第２の側端面、  ３１３ 第３の側端面、  ３１４ 第４の側端面、  ３１６ 上面、  ３１７ 下面、  ３２０ 第１の支持材、  ３２２ 第１の上面、  ３２２ａ 傾斜面、  ３２２ｂ 部分、  ３２４ 第２の下面、  ３２４ａ 傾斜面、  ３７１ 締結具、  ３７２ 締結具、  ４００ 水栓カウンタ、  ４０１ 吐水口、４０３ 下面、  ４１０ 水栓カウンタ本体、  ４１０ａ 第２の天板、  ４１１ 第１の側端面、  ４１２ 第２の側端面、  ４１３ 第３の側端面、  ４１４ 第４の側端面、  ４１６ 上面、  ４１７ 下面、  ４２０ 第２の支持材、  ４２２ 第２の上面、  ４２２ａ 傾斜面、  ４２２ｂ 部分、  ４２４ 第２の下面、  ４２４ａ 傾斜面、  ４２４ｂ 部分、  ４４１ 水栓、  ５００ 鏡、  ５５０ 風呂いす、  ５６０ 使用者
【図１】
2019058802.tif 000003
【図２】
2019058802.tif 000004
【図３】
2019058802.tif 000005
【図４】
2019058802.tif 000006
【図５】
2019058802.tif 000007
【図６】
2019058802.tif 000008
【図７】
2019058802.tif 000009
【図８】
2019058802.tif 000010